(57)【要約】【課題】支持装置を改良した電子機器を提供する。【解決手段】実施形態の電子機器は、モジュールと、前記モジュール側の第１面と、前記第１面とは反対側の第２面と、を有するとともに前記モジュールを支持する第１プレートと、前記第１プレートに取り付けられるとともに前記第１面と対向する取付面と、前記第２面側で前記第１プレートと平行に延びる先端部を含む係合部と、を有するカバーと、前記第２面と前記先端部との間の隙間を埋めるように前記第２面側から前記第１プレートに沿うように装着され、前記係合部と係合して前記第１プレートに前記カバーを固定する第２プレートと、前記第２プレートを前記第１プレートに固定する固定部材と、を備える。【選択図】図２
2015038906.tif 000002
【特許請求の範囲】
【請求項１】
モジュールと、
前記モジュール側の第１面と、前記第１面とは反対側の第２面と、を有するとともに前記モジュールを支持する第１プレートと、
前記第１プレートに取り付けられるとともに前記第１面と対向する取付面と、前記第２面側で前記第１プレートと平行に延びる先端部を含む係合部と、を有するカバーと、
前記第２面と前記先端部との間の隙間を埋めるように前記第２面側から前記第１プレートに沿うように装着され、前記係合部と係合して前記第１プレートに前記カバーを固定する第２プレートと、
前記第２プレートを前記第１プレートに固定する固定部材と、
を備える電子機器。
【請求項２】
前記第２プレートは、前記第１プレートと密着する第１部分と、前記第１プレートとの間に隙間を有して位置された第２部分と、前記第１部分と前記第２部分との間の境界部と、を含むとともに、前記第１部分が前記第１プレートと密着した第１形状と、前記固定部材によって前記第１プレートに近づくように前記第２部分を撓ませることで、前記境界部を中心に前記第１部分が回転して前記先端部と係合した第２形状と、の間で変形可能である請求項１に記載の電子機器。
【請求項３】
前記第２部分には、前記固定部材の一部が通される貫通孔が設けられる請求項２に記載の電子機器。
【請求項４】
前記第２プレートには、前記第２部分から外れた位置に絞り加工部が設けられる請求項３に記載の電子機器。
【請求項５】
前記固定部材は、ねじである請求項４に記載の電子機器。
【請求項６】
前記第２プレートは、前記第１プレートと密着する第１部分と、前記第１プレートとの間に隙間を有して位置されるとともに、前記第２プレートの厚み方向に進退可能な可撓性を有するとともに前記第２面と前記先端部との間の隙間に圧入される第３部分と、を有する請求項１に記載の電子機器。
【請求項７】
第１面と、前記第１面とは反対側の第２面と、を有する第１プレートと、
前記第１プレートに取り付けられるとともに前記第１面と対向する取付面と、前記第２面側で前記第１プレートと平行に延びる先端部を含む係合部と、を有するカバーと、
前記第２面と前記先端部との間の隙間を埋めるように前記第２面側から前記第１プレートに沿うように装着され、前記係合部と係合して前記第１プレートに前記カバーを固定する第２プレートと、
前記第２プレートを前記第１プレートに固定する固定部材と、
を備える支持装置。
【請求項８】
第１面と、前記第１面とは反対側の第２面と、を有する第１プレートと、
前記第１プレートに取り付けられるとともに前記第１面と対向する取付面と、前記第２面側で前記第１プレートと平行に延びる先端部を含む係合部と、を有する取付部と、
前記第２面と前記先端部との間の隙間を埋めるように前記第２面側から前記第１プレートに沿うように装着され、前記係合部と係合して前記第１プレートを前記取付部に固定する第２プレートと、
を備える取付構造。
【発明の詳細な説明】
【技術分野】
【０００１】
本発明の実施形態は、表示画面を有する電子機器に関する。
【背景技術】
【０００２】
表示装置のスタンドが開示されている。
【先行技術文献】
【特許文献】
【０００３】
【特許文献１】特開２００１−２８２１３０号公報
【発明の概要】
【発明が解決しようとする課題】
【０００４】
表示装置の支持装置は、ユーザの目に付き易い部分となっているため、この部分の改良に対するニーズが存在していた。
【課題を解決するための手段】
【０００５】
実施形態の電子機器は、モジュールと、前記モジュール側の第１面と、前記第１面とは反対側の第２面と、を有するとともに前記モジュールを支持する第１プレートと、前記第１プレートに取り付けられるとともに前記第１面と対向する取付面と、前記第２面側で前記第１プレートと平行に延びる先端部を含む係合部と、を有するカバーと、前記第２面と前記先端部との間の隙間を埋めるように前記第２面側から前記第１プレートに沿うように装着され、前記係合部と係合して前記第１プレートに前記カバーを固定する第２プレートと、前記第２プレートを前記第１プレートに固定する固定部材と、を備える。
【図面の簡単な説明】
【０００６】
【図１】第１の実施形態の電子機器の一例である表示装置を示した正面図。
【図２】図１に示す表示装置の支持部を示す斜視図。
【図３】図２に示す支持部を下方から示した斜視図。
【図４】図１に示す支持部の第２係合部に第２プレートを取り付ける操作を示した斜視図。
【図５】図２に示す支持部のカバーを下方から示した斜視図。
【図６】図５に示すカバーの第２係合部周りを拡大して示した斜視図。
【図７】図２に示す支持部の第１プレートを下方から示した斜視図。
【図８】図２に示す支持部の第２プレートを下方から示した斜視図。
【図９】図３に示すＦ９−Ｆ９線に沿った断面図。
【図１０】図３に示すＦ１０−Ｆ１０線に沿った断面図。
【図１１】図２に示す支持部の組み立て工程示した斜視図。
【図１２】第１の実施形態の電子機器の一例である表示装置の第２プレートを示した斜視図。
【発明を実施するための形態】
【０００７】
以下、図１から図１１を参照して、表示装置の第１の実施形態について説明する。図１に示すように、本実施形態にかかる電子機器の一例である表示装置（テレビ）は、略長方形の外観を有した表示装置である。以下の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。
【０００８】
図１に示すように、表示装置１１は、表示画面１２Ａが設けられる表示部１２と、表示部１２を支持する支持部１３（脚部、スタンド）と、を備えている。表示部１２は、表示画面１２Ａをなしている平板状の表示パネル１４と、チューナ基板１５と、表示装置１１の各部を統括的に制御するシステム基板１６と、電源回路基板１７と、これらの表示パネル１４、チューナ基板１５、システム基板１６、電源回路基板１７を取り囲む筐体１８（ケース）と、を有している。筐体１８は、表示パネル１４の前方を覆う透明なフロントカバー２１と、表示パネル１４の後方を覆うバックカバー１９と、を有している。表示パネル１４は、例えば、液晶ディスプレイパネルで構成されているが、例えばプラズマディスプレイパネル、有機ＥＬ、プラスチックディスプレイパネル、シートディスプレイパネル等、他の種類のディスプレイパネルであってもよい。表示部１２は、モジュールの一例である。
【０００９】
図２、図３に示すように、支持部１３は、後述するスイベル部２３を介して表示部１２を支持する第１プレート２４と、合成樹脂材料によって一体に成形されるとともに、取付部４４で第１プレート２４に取り付けられるカバー２２と、第１プレート２４にカバー２２を固定するための第２プレート２５と、第２プレート２５を第１プレート２４に固定するための固定部材２６と、第１プレート２４に取り付けられるとともに表示装置１１の転倒を防止するためのバンド２７および紐通しリング２８と、を有している。固定部材２６は、例えばねじで構成されているが、リベット等であってもよい。
【００１０】
カバー２２は、台等に対向する下側の底面３１と底面３１とは反対側（上側）の外観面３２とを有した平板部３３と、平板部３３の外観面３２から平板部３３の延びる方向と直交する方向に延びる円筒形の円筒部３４と、を有している。円筒部３４の内側に、例えば表示部１２を水平方向（台等の設置面２０（図１参照）に対して沿う方向）に旋回可能に支持したスイベル部２３が配置される。スイベル部２３は、後述する第１プレート２４のサブプレート４８に固定される。
【００１１】
図３、図５に示すように、カバー２２（平板部３３）は、底面３１の一部に略フラットに設けられた方形の取付面３５と、取付面３５の周囲を取り囲むとともに取付面３５と直交する方向に立ち上がった枠部３６と、枠部３６の内側で取付面３５から突出するように設けられた複数の第１係合部３７および複数の第２係合部３８と、底面３１中で枠部３６の外側に格子状に設けられる補強用の第１リブ４１と、枠部３６の内側で第１係合部３７および第２係合部３８の近傍に設けられる複数の第２リブ４２と、底面３１の外縁に設けられた枠状の外周部４３と、を有している。取付面３５、枠部３６、第１係合部３７および第２係合部３８によって、カバー２２を第１プレート２４に取り付けるための取付部４４が構成されている。
【００１２】
取付面３５に対して、第１プレート２４を取り付けることができる。本実施形態では、取付面３５が極力フラットに構成されているので、カバー２２（成形品）の仕上がりの際に、その裏側にある外観面３２（成形表面）においてひけ等を生ずることが防止されている。
【００１３】
方形の取付面３５は、前方に位置した第１辺部３５Ａと、後方に位置した第２辺部３５Ｂと、右側と左側にそれぞれ設けられた一対の第３辺部３５Ｃと、を有している。
【００１４】
第１係合部３７は、取付面３５の第１辺部３５Ａで、所定の間隔をもって４個横並びに設けられている。図４、図１１に示すように、各第１係合部３７は、取付面３５から起立した第１起立部３７Ａと、後述する第１プレート２４の第２面２４Ｂ側に設けられ第１起立部３７Ａから第１プレート２４と平行な方向（第１プレート２４の中央部に向かう方向）に延びる第１先端部３７Ｂと、を有しており、略「Ｌ」字形の断面形状を有している。
【００１５】
図５に示すように、第２係合部３８は、４個で構成されている。すなわち、第２係合部３８は、第２辺部３５Ｂに２個設けられ、第３辺部３５Ｃにそれぞれ１個ずつ設けられている。第２辺部３５Ｂに設けられた２個の第２係合部３８のそれぞれは、第２辺部３５Ｂの両端部で、第３辺部３５Ｃの近傍の位置に設けられている。第３辺部３５Ｃに設けられた第２係合部３８は、前後方向における略中間位置に設けられている。このような第２係合部３８の配置によって、取付面３５から第１プレート２４が脱落してしまうことを十分に防ぎつつ、第２係合部３８および第２プレート２５の数を少なくして組み立て時の工数低減と製造コストの削減を図ることができる。
【００１６】
図４、図６に示すように、各第２係合部３８は、取付面３５から起立した第２起立部３８Ａと、後述する第１プレート２４の第２面２４Ｂ側に設けられ第２起立部３８Ａから第１プレート２４と平行な方向（第１プレート２４の中央部に向かう方向）に延びる第２先端部３８Ｂと、を有しており、略「Ｌ」字形の断面形状を有している。
【００１７】
図９に示すように、第２先端部３８Ｂは、取付面３５と対向する内面４５と、内面４５の反対側で外界に露出される外面４６と、を有している。第２リブ４２の端面と内面４５との間の寸法は、例えば約２．９ｍｍ程度である。内面４５の一部は、斜面４５Ａを有し、斜面４５Ａは、第２先端部３８Ｂの先端側に行くにつれて厚みが小さくなるように斜めになっている。この斜面４５Ａによって、第１プレート２４の第２面２４Ｂと第２先端部３８Ｂの内面４５との間の隙間を広げることができ、第２プレート２５を第２係合部３８と第１プレート２４との間に差し込む際に第２プレート２５の差し込みを円滑にできるようになっている。
【００１８】
図７に示すように、第１プレート２４は、全体として略方形をなしており、取付面３５に対向するとともに表示部１２側に設けられる第１面２４Ａと、第１面２４Ａとは反対側の第２面２４Ｂと、を有している。第１プレート２４は、略中央部に略半円形の開口４７Ａを有するとともに略方形をなしたメインプレート４７と、開口４７Ａを覆うようにメインプレート４７に取り付けられた略半円形のサブプレート４８と、サブプレート４８をメインプレート４７に固定するための複数の固定手段５１（図３参照）と、を含んでいる。固定手段５１は、例えばねじ等で構成されているが、リベットや溶接等の他の固定用の手段であってもよい。サブプレート４８は、スイベル部２３から延びた爪４９が引っ掛けられる引っ掛け部４８Ａ（孔）を有している。
【００１９】
メインプレート４７は、補強用に複数個所に設けられた第１絞り加工部５２（凸部・凹部）と、第１係合部３７が通される略方形の複数の第１切欠部５３と、第２係合部３８が通される略方形の複数の第２切欠部５４と、第２切欠部５４の近傍に設けられる第１孔５５と、を有している。第１孔５５の内周面には、固定部材２６を止めるための雌ねじが設けられている。メインプレート４７（第１プレート２４）は、例えば鉄等の材質によって、例えば厚さ約２ｍｍ程度で形成されている。
【００２０】
図３、図７等に示すように、各第１切欠部５３の奥行き寸法（前後方向における寸法）は、第１起立部３７Ａの奥行き寸法（前後方向における寸法）よりも若干（例えば０．１ｍｍから数ｍｍ程度）大きくなっており、第１プレート２４が取付面３５に取り付けられた際に、第１係合部３７の第１先端部３７Ｂが第１プレート２４の第２面２４Ｂ側（上側）に重なることができる。各第１切欠部５３の奥行き方向と直交する幅方向の寸法（左右方向における寸法）は、第１起立部３７Ａの幅方向の寸法（左右方向における寸法）よりも若干（例えば０．１ｍｍから数ｍｍ程度）大きくなっている。
【００２１】
図３、図７等に示すように、各第２切欠部５４の奥行き寸法は、各第１切欠部５３の奥行き寸法よりも長くなっている。すなわち、各第２切欠部５４の奥行き寸法は、第２係合部３８の第２先端部３８Ｂの奥行き寸法よりも若干（例えば０．１ｍｍから数ｍｍ程度）大きくなっており、取付部４４に第１プレート２４を装着する際に邪魔にならない（第２係合部３８に第１プレート２４が引っ掛からない）ようになっている（図１１参照）。各第２切欠部５４の奥行き方向と直交する幅方向の寸法（左右方向における寸法）は、第２起立部３８Ａの幅方向の寸法（左右方向における寸法）よりも若干（例えば０．１ｍｍから数ｍｍ程度）大きくなっている。
【００２２】
図８に示すように、第２プレート２５は、全体として略「Ｃ」字状をなしている。第２プレート２５は、第１プレート２４の第２面２４Ｂ側に装着されて第２係合部３８と係合して、第１プレート２４をカバー２２（取付面３５）に取り付けることができる。第２プレート２５は、例えば鉄等の材質によって、例えば厚さ約０．８ｍｍ程度で形成されている。
【００２３】
第２プレート２５は、第１プレート２４と密着するように平板状に設けられるとともに略「Ｃ」字状をなした第１部分２５Ａと、第１プレート２４との間に隙間を有して位置されるとともに方形をなした第２部分２５Ｂと、第１部分２５Ａと第２部分２５Ｂとの間の境界部２５Ｃと、第１部分２５Ａを補強するように第１部分２５Ａに設けられる第２絞り加工部５６（ビード）と、第２係合部３８（第２起立部３８Ａ）が通される方形の開口部５７と、開口部５７の周囲を規定する縁部５７Ａと、第２部分２５Ｂに円形に設けられた第２孔５８（貫通孔）と、第１部分２５Ａ中に設けられるとともに後述する第２形状Ｓ２になった際に第２係合部３８の第２先端部３８Ｂに当接する当接部６１と、を有している。
【００２４】
図８、図９に示すように、第２部分２５Ｂは、第２プレート２５の中央部付近で、開口部５７とは反対側に寄って設けられている。第２孔５８（貫通孔）の内側には、固定部材２６の軸部２６Ａ（一部）を通すことができ、固定部材２６の軸部２６Ａと第２孔５８の内面との間には若干のクリアランスがある。第２絞り加工部５６は、第１部分２５Ａの中央部に連続的に設けられ、第１部分２５Ａの形状に沿って「Ｃ」字形に連続した突起状に設けられている。第２絞り加工部５６の一方の端部は、第２部分２５Ｂと一体に形成されている。第２絞り加工部５６は、第２部分２５Ｂから外れた位置に設けられており、第２部分２５Ｂでは剛性が高くなり過ぎないようにしている。このため、第２プレート２５は、第２部分２５Ｂの付近で適度な剛性を有し、厚み方向（せん断方向）に可撓性（弾力性）を発揮できる。
【００２５】
本実施形態において、第２プレート２５は、第１部分２５Ａが第１プレート２４と密着した第１形状Ｓ１と、固定部材２６（ねじ）によって第１プレート２４に近づくように第２部分２５Ｂを撓ませることで、境界部２５Ｃを中心に第１部分２５Ａが回転して第２先端部３８Ｂと係合した第２形状Ｓ２と、の間で変形することができる。第２絞り加工部５６は、第２プレート２５の第２部分２５Ｂ以外の箇所の剛性を高くするだけでなく、表裏を逆にして第２係合部３８の内面と第１プレート２４の第２面２４Ｂとの間に第２プレート２５が装着されることを防止する。
【００２６】
続いて、図４、図９、図１０、図１１を参照して、本実施形態の支持部の組み立て工程について説明する。図１１に示すように、底面３１を上側にしてカバー２２を作業用の台等に置く。このカバー２２に対して、斜め上方向から、第１プレート２４を斜めに傾けて取付部４４内に挿入する。このとき、第１切欠部５３の内側に第１係合部３７の第１起立部３７Ａが位置し、第１係合部３７の第１先端部３７Ｂと取付面３５（第２リブ４２）との間に第１プレート２４の一部が挟まれるように、取付部４４内に第１プレート２４を装着する。この状態で、第１プレート２４の第２切欠部５４の内側に第２係合部３８を通すようにする。（なお、図１１では、第１プレート２４のメインプレート４７のみを装着しているが、メインプレート４７、サブプレート４８、スイベル部２３を予め組み立てたアセンブリーを取付部４４に一括して装着してもよい。）
図４、図９に示すように、第１プレート２４の第２面２４Ｂ側から第１プレート２４に沿うように第２プレート２５を装着する。第２プレート２５は、第２係合部３８の第２先端部３８Ｂと第１プレート２４（第２面２４Ｂ）との間の隙間を埋めるように、第２先端部３８Ｂと第１プレート２４との間に挿入される。第２プレート２５が第２先端部３８Ｂと第１プレート２４との間に装着された状態では、第２プレート２５の開口部５７の内側に第２係合部３８の第２起立部３８Ａが位置される。さらに、固定部材２６（ねじ）を第２プレート２５の第２孔５８内に通すとともに、固定部材２６（ねじ）を第１プレート２４の第１孔５５に対して固定（ねじ止め）する。
【００２７】
図１０に示すように、固定部材２６（ねじ）を第１孔５５に対して軽く止めた状態或いは固定部材２６（ねじ）を固定しない状態では、第２プレート２５は実線で示すように、第１部分２５Ａが第１プレート２４に密着した第１形状Ｓ１となっている。第１プレート２４に対して固定部材２６の距離を近づける（ねじを締める）ことで、第２プレート２５を第２部分２５Ｂで撓ませることができる。これによって、図１０中に破線で示すように、境界部２５Ｃを中心に第１部分２５Ａが第１プレート２４から離れる方向に回転して、第１部分２５Ａは第２係合部３８の第２先端部３８Ｂの内面４５に突き当たる。この状態で、第２プレート２５は、第１部分２５Ａが第１プレート２４から離れる方向に反った第２形状Ｓ２をなして、第２係合部３８と係合した状態（係合状態）をとることができる。このとき、第２先端部３８Ｂに対して第１部分２５Ａが押し付けられる力は、第１プレート２４に対する固定部材２６の距離（ねじの締め付け量）を操作し、第２部分２５Ｂの撓み量を変化させることで自由に調節することができる。
【００２８】
さらに、第１プレート２４にバンド２７および紐通しリング２８を固定して、第１プレート２４の所定の位置にゴム等の弾性部材からなる緩衝材のシート２９を接着して、支持部１３の組み立てが完了する。
【００２９】
第１の実施形態によれば、表示装置１１は、モジュールと、モジュール側の第１面２４Ａと、第１面２４Ａとは反対側の第２面２４Ｂと、を有するとともにモジュールを支持する第１プレート２４と、第１プレート２４に取り付けられるとともに第１面２４Ａと対向する取付面３５と、第２面２４Ｂ側で第１プレート２４と平行に延びる先端部を含む係合部と、を有するカバー２２と、第２面２４Ｂと先端部との間の隙間を埋めるように第２面２４Ｂ側から第１プレート２４に沿うように装着され、係合部と係合して第１プレート２４にカバー２２を固定する第２プレート２５と、前記第２プレートを前記第１プレートに固定する固定部材と、を備える。
【００３０】
この構成によれば、第１プレート２４に沿うように第２プレート２５を用いてカバー２２を取り付ける構造となっているため、高さ方向（厚み方向）に大きさが増加することを防止して、第１プレート２４、第２プレート２５、およびカバー２２からなる構造を薄型にすることができる。
【００３１】
表示装置１１は、第２プレート２５は、第１プレート２４と密着する第１部分２５Ａと、第１プレート２４との間に隙間を有して位置された第２部分２５Ｂと、第１部分２５Ａと第２部分２５Ｂとの間の境界部２５Ｃと、を含むとともに、第１部分２５Ａが第１プレート２４と密着した第１形状Ｓ１と、固定部材２６によって第１プレート２４に近づくように第２部分２５Ｂを撓ませることで、境界部２５Ｃを中心に第１部分２５Ａが回転して先端部と係合した第２形状Ｓ２と、の間で変形可能である。
【００３２】
この構成によれば、固定部材２６で第２プレート２５と第１プレート２４とを固定しており、固定部材２６で第１プレート２４とカバー２２とを固定しない構造となるため、カバー２２に固定部材２６を止めるためのボス等の構造が不要となりカバー２２を薄くして薄型化を実現できる。また、ボス等が不要であるので、カバー２２の成形の仕上がり時に外観面にひけ等を生じて美観を損なうこともない。
【００３３】
第２部分２５Ｂには、固定部材２６の一部が通される貫通孔が設けられる。この構成によれば、第２部分２５Ｂの貫通孔付近で撓み易く（応力集中を起こりやすく）し、これによって第２部分２５Ｂを厚み方向（せん断方向）に撓み易くして第１部分２５Ａの上記回転をし易くすることができる。
【００３４】
第２プレート２５には、第２部分２５Ｂから外れた位置に第２絞り加工部５６が設けられる。この構成によれば、第２部分２５Ｂにおいて剛性が高くなって第２部分２５Ｂが撓みにくくなってしまうことを防止できる。また、第２プレート２５の第２部分２５Ｂ以外の部分において剛性を高くすることができる。
【００３５】
固定部材２６は、ねじである。この構成によれば、第２部分２５Ｂの撓み量の調節をし易くすることができる。
【００３６】
続いて、図１２を参照して、表示装置の第２の実施形態について説明する。第２の実施形態の電子機器の一例である表示装置１１（テレビ）は、第２プレート２５の構成が第１の実施形態のものと異なっているが、他の部分は第１の実施形態と共通している。このため、主として異なる部分について説明し、共通する部分については共通の符号を付して説明を省略する。
【００３７】
第２プレート２５は、全体として略「Ｃ」字状をなしている。第２プレート２５は、第１プレート２４の第２面２４Ｂ側に装着されて第２係合部３８と係合して、第１プレート２４をカバー２２（取付面）に取り付けることができる。
【００３８】
第２プレート２５は、第１プレート２４と密着するように平板状に設けられるとともに略「Ｃ」字状をなした第１部分２５Ａと、第１プレート２４との間に隙間を有して位置されるとともに方形をなした第２部分２５Ｂと、第１部分２５Ａと第２部分２５Ｂとの間の境界部２５Ｃと、第２プレート２５の厚み方向に進退可能な可撓性を有する第３部分２５Ｄと、第１部分２５Ａを補強するように第１部分２５Ａに設けられる第２絞り加工部５６（ビード）と、第２係合部３８が通される方形の開口部５７と、第２部分２５Ｂに円形に設けられた第２孔５８（貫通孔）と、を有している。
【００３９】
第２部分２５Ｂは、第２プレート２５の中央部付近で、開口部５７とは反対側に寄って設けられている。第２孔５８の内側には、固定部材２６の軸部２６Ａを通すことができ、固定部材２６の軸部２６Ａと第２孔５８の内面との間には若干のクリアランスがある。第２絞り加工部５６は、第１部分２５Ａの中央部に連続的に設けられ、第１部分２５Ａの形状に沿って「Ｃ」字形に連続した突起状に設けられている。第２絞り加工部５６の一方の端部は、第２部分２５Ｂと一体に形成されている。
【００４０】
第３部分２５Ｄは、第１プレート２４との間に隙間を有して位置されており、第２プレート２５の厚み方向に若干量（０．１ｍｍから１ｍｍ程度）進退できる可撓性（弾力性）を有する。第３部分２５Ｄは、開口部５７の周囲を規定する縁部５７Ａから、例えば当該縁部５７Ａと直交する方向に直線的に延びている。第３部分２５Ｄは、周囲に位置する第１部分２５Ａから、例えば断面山型に突出しているが、第３部分２５Ｄの断面形状はこれに限定されるものではない。第３部分２５Ｄは、第２プレート２５の厚み方向に進退できる可撓性（弾力性）を発揮できる形状であればどのような形状（断面半円形、断面アーチ形、断面谷型）でもよい。
【００４１】
続いて、図４、図１１、図１２を参照して、本実施形態の支持部１３の組み立て工程について説明する。図１１に示す第１の実施形態と同様に、底面３１を上側にしてカバー２２を作業用の台等に置く。このカバー２２に対して、斜め上方向から、第１プレート２４を斜めに傾けて取付部４４内に挿入する。このとき、第１切欠部５３の内側に第１係合部３７の第１起立部３７Ａが位置し、第１係合部３７の第１先端部３７Ｂと取付面３５との間に第１プレート２４の一部が挟まれるように、取付部４４内に第１プレート２４を装着する。このとき、第１プレート２４の第２切欠部５４内に第２係合部３８を通すようにする。
【００４２】
図４に示す第１の実施形態と同様に、第１プレート２４の第２面２４Ｂ側から第２プレート２５を装着する。第２プレート２５は、第２係合部３８の第２先端部３８Ｂと第１プレート２４との間の隙間を埋めるように挿入される。このとき、第２プレート２５の第３部分２５Ｄでは、第２プレート２５の厚み方向に可撓性を発揮できるため、第２プレート２５を差し込む際に第３部分２５Ｄが第２先端部３８Ｂ（内面）と第１プレート２４（第２面２４Ｂ）との間に無理なく圧入される。また、第２先端部３８Ｂの内面４５の一部に設けられた斜面４５Ａによって第３部分２５Ｄが案内されるため（図９参照）、第３部分２５Ｄが第２先端部３８Ｂの端部に引っ掛かってしまうことがなく、第２プレート２５の差し込みが円滑になされる。
【００４３】
第２プレート２５が第２先端部３８Ｂと第１プレート２４との間に装着された状態では、第２プレート２５の開口部５７の内側に第２係合部３８の第２起立部３８Ａが位置される。この状態で固定部材２６（ねじ）を第２プレート２５の第２孔５８内に通して、第１プレート２４の第１孔５５に固定する。さらに、第１プレート２４にバンド２７および紐通しリング２８を固定して、第１プレート２４の所定の位置にゴム等の弾性部材からなる緩衝材のシート２９を接着して、支持部１３の組み立てが完了する。
【００４４】
第２の実施形態によれば、第２プレート２５は、第１プレート２４と密着する第１部分２５Ａと、第１プレート２４との間に隙間を有して位置されるとともに、第２プレート２５の厚み方向に進退可能な可撓性を有するとともに第２面２４Ｂと先端部との間の隙間に圧入される第３部分２５Ｄと、を有する。この構成によれば、カバー２２を直接に第１プレート２４に固定しない構造にでき、固定部材２６を止めるためのボス等の構造をカバー２２に設ける必要がないため、カバー２２を薄くすることができる。これによって、第１プレート２４、第２プレート２５、およびカバー２２からなる構造を薄型にすることができる。
【００４５】
さらに、電子機器は上記実施形態そのままに限定されるものではなく、実施段階ではその要旨を逸脱しない範囲で構成要素を変形して具体化できる。すなわち、上記実施形態では、モジュールの一例として、表示部１２が開示されているが、モジュールの例としてはこれに限定されるものではない。モジュールは、例えば、携帯電話機、携帯型情報端末、ポータブルコンピュータ、カーナビゲーション装置、携帯型音楽プレーヤ、携帯型ラジオ、電子ブックリーダ、携帯ゲーム機、無線通信装置、レーダー装置、各種の認証装置、ビデオカメラ、防犯カメラ、デジタルカメラ、およびスピーカ等の音響装置でもよいし、或いはその他の特定の機能を発揮するユニットや機器でもよい。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００４６】
１１…表示装置、１２…表示部、１３…支持部、２４…第１プレート、２４Ａ…第１面、２４Ｂ…第２面、２５…第２プレート、２５Ａ…第１部分、２５Ｂ…第２部分、２５Ｃ…境界部、２５Ｄ…第３部分、２６…固定部材、３５…取付面、３８…第２係合部、３８Ｂ…第２先端部、５６…第２絞り加工部、５８…第２孔、Ｓ１…第１形状、Ｓ２…第２形状
【図１】
2015038906.tif 000003
【図２】
2015038906.tif 000004
【図３】
2015038906.tif 000005
【図４】
2015038906.tif 000006
【図５】
2015038906.tif 000007
【図６】
2015038906.tif 000008
【図７】
2015038906.tif 000009
【図８】
2015038906.tif 000010
【図９】
2015038906.tif 000011
【図１０】
2015038906.tif 000012
【図１１】
2015038906.tif 000013
【図１２】
2015038906.tif 000014
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
モジュールと、
前記モジュール側の第１面と、前記第１面とは反対側の第２面と、を有するとともに前記モジュールを支持する第１プレートと、
前記第１プレートに取り付けられるとともに前記第１面と対向する取付面と、前記第２面側で前記第１プレートの中央部に向かう方向に延びる先端部を含む係合部と、を有するカバーと、
前記第２面と前記先端部との間に前記第２面側から前記第１プレートに沿うように装着され、前記係合部と係合して前記第１プレートに前記カバーを固定する第２プレートと、
前記第２プレートを前記第１プレートに固定する固定部材と、
を備える電子機器。
【請求項２】
前記第２プレートは、前記第１プレートと密着する第１部分と、前記第１プレートとの間に隙間を有して位置された第２部分と、前記第１部分と前記第２部分との間の境界部と、を含むとともに、前記第１部分が前記第１プレートと密着した第１形状と、前記固定部材によって前記第１プレートに近づくように前記第２部分を撓ませることで、前記境界部を中心に前記第１部分が回転して前記先端部と係合した第２形状と、の間で変形可能である請求項１に記載の電子機器。
【請求項３】
前記第２部分には、前記固定部材の一部が通される貫通孔が設けられる請求項２に記載の電子機器。
【請求項４】
前記第２プレートには、前記第２部分から外れた位置に絞り加工部が設けられる請求項３に記載の電子機器。
【請求項５】
前記固定部材は、ねじである請求項４に記載の電子機器。
【請求項６】
前記第２プレートは、前記第１プレートと密着する第１部分と、前記第１プレートとの間に隙間を有して位置されるとともに、前記第２プレートの厚み方向に進退可能な可撓性を有するとともに前記第２面と前記先端部との間の隙間に圧入される第３部分と、を有する請求項１に記載の電子機器。
【請求項７】
第１面と、前記第１面とは反対側の第２面と、を有する第１プレートと、
前記第１プレートに取り付けられるとともに前記第１面と対向する取付面と、前記第２面側で前記第１プレートの中央部に向かう方向に延びる先端部を含む係合部と、を有するカバーと、
前記第２面と前記先端部との間に前記第２面側から前記第１プレートに沿うように装着され、前記係合部と係合して前記第１プレートに前記カバーを固定する第２プレートと、
前記第２プレートを前記第１プレートに固定する固定部材と、
を備える支持装置。
【請求項８】
第１面と、前記第１面とは反対側の第２面と、を有する第１プレートと、
前記第１プレートに取り付けられるとともに前記第１面と対向する取付面と、前記第２面側で前記第１プレートの中央部に向かう方向に延びる先端部を含む係合部と、を有する取付部と、
前記第２面と前記先端部との間に前記第２面側から前記第１プレートに沿うように装着され、前記係合部と係合して前記第１プレートを前記取付部に固定する第２プレートと、
前記第２プレートを前記第１プレートに固定する固定部材と、
を備える取付構造。
【手続補正２】
【補正対象書類名】明細書
【補正対象項目名】００２６
【補正方法】変更
【補正の内容】
【００２６】
続いて、図４、図９、図１０、図１１を参照して、本実施形態の支持部の組み立て工程について説明する。図１１に示すように、底面３１を上側にしてカバー２２を作業用の台等に置く。このカバー２２に対して、斜め上方向から、第１プレート２４を斜めに傾けて取付部４４内に挿入する。このとき、第１切欠部５３の内側に第１係合部３７の第１起立部３７Ａが位置し、第１係合部３７の第１先端部３７Ｂと取付面３５（第２リブ４２）との間に第１プレート２４の一部が挟まれるように、取付部４４内に第１プレート２４を装着する。この状態で、第１プレート２４の第２切欠部５４の内側に第２係合部３８を通すようにする。（なお、図１１では、第１プレート２４のメインプレート４７のみを装着しているが、メインプレート４７、サブプレート４８、スイベル部２３を予め組み立てたアセンブリーを取付部４４に一括して装着してもよい。）
図４、図９に示すように、第１プレート２４の第２面２４Ｂ側から第１プレート２４に沿うように第２プレート２５を装着する。第２プレート２５は、第２係合部３８の第２先端部３８Ｂと第１プレート２４（第２面２４Ｂ）との間に、第２先端部３８Ｂと第１プレート２４との間に挿入される。第２プレート２５が第２先端部３８Ｂと第１プレート２４との間に装着された状態では、第２プレート２５の開口部５７の内側に第２係合部３８の第２起立部３８Ａが位置される。さらに、固定部材２６（ねじ）を第２プレート２５の第２孔５８内に通すとともに、固定部材２６（ねじ）を第１プレート２４の第１孔５５に対して固定（ねじ止め）する。
【手続補正３】
【補正対象書類名】明細書
【補正対象項目名】００４５
【補正方法】変更
【補正の内容】
【００４５】
さらに、電子機器は上記実施形態そのままに限定されるものではなく、実施段階ではその要旨を逸脱しない範囲で構成要素を変形して具体化できる。すなわち、上記実施形態では、モジュールの一例として、表示部１２が開示されているが、モジュールの例としてはこれに限定されるものではない。モジュールは、例えば、携帯電話機、携帯型情報端末、ポータブルコンピュータ、カーナビゲーション装置、携帯型音楽プレーヤ、携帯型ラジオ、電子ブックリーダ、携帯ゲーム機、無線通信装置、レーダー装置、各種の認証装置、ビデオカメラ、防犯カメラ、デジタルカメラ、およびスピーカ等の音響装置でもよいし、或いはその他の特定の機能を発揮するユニットや機器でもよい。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。
［１］
モジュールと、
前記モジュール側の第１面と、前記第１面とは反対側の第２面と、を有するとともに前記モジュールを支持する第１プレートと、
前記第１プレートに取り付けられるとともに前記第１面と対向する取付面と、前記第２面側で前記第１プレートと平行に延びる先端部を含む係合部と、を有するカバーと、
前記第２面と前記先端部との間の隙間を埋めるように前記第２面側から前記第１プレートに沿うように装着され、前記係合部と係合して前記第１プレートに前記カバーを固定する第２プレートと、
前記第２プレートを前記第１プレートに固定する固定部材と、
を備える電子機器。
［２］
前記第２プレートは、前記第１プレートと密着する第１部分と、前記第１プレートとの間に隙間を有して位置された第２部分と、前記第１部分と前記第２部分との間の境界部と、を含むとともに、前記第１部分が前記第１プレートと密着した第１形状と、前記固定部材によって前記第１プレートに近づくように前記第２部分を撓ませることで、前記境界部を中心に前記第１部分が回転して前記先端部と係合した第２形状と、の間で変形可能である［１］に記載の電子機器。
［３］
前記第２部分には、前記固定部材の一部が通される貫通孔が設けられる［２］に記載の電子機器。
［４］
前記第２プレートには、前記第２部分から外れた位置に絞り加工部が設けられる［３］に記載の電子機器。
［５］
前記固定部材は、ねじである［４］に記載の電子機器。
［６］
前記第２プレートは、前記第１プレートと密着する第１部分と、前記第１プレートとの間に隙間を有して位置されるとともに、前記第２プレートの厚み方向に進退可能な可撓性を有するとともに前記第２面と前記先端部との間の隙間に圧入される第３部分と、を有する［１］に記載の電子機器。
［７］
第１面と、前記第１面とは反対側の第２面と、を有する第１プレートと、
前記第１プレートに取り付けられるとともに前記第１面と対向する取付面と、前記第２面側で前記第１プレートと平行に延びる先端部を含む係合部と、を有するカバーと、
前記第２面と前記先端部との間の隙間を埋めるように前記第２面側から前記第１プレートに沿うように装着され、前記係合部と係合して前記第１プレートに前記カバーを固定する第２プレートと、
前記第２プレートを前記第１プレートに固定する固定部材と、
を備える支持装置。
［８］
第１面と、前記第１面とは反対側の第２面と、を有する第１プレートと、
前記第１プレートに取り付けられるとともに前記第１面と対向する取付面と、前記第２面側で前記第１プレートと平行に延びる先端部を含む係合部と、を有する取付部と、
前記第２面と前記先端部との間の隙間を埋めるように前記第２面側から前記第１プレートに沿うように装着され、前記係合部と係合して前記第１プレートを前記取付部に固定する第２プレートと、
を備える取付構造。